(57)【要約】【課題】ファイルに綴じている紙葉類が自重で垂れ下がり表紙からはみ出すこと、及び表紙が意図せず開くことを適切に抑制する。【解決手段】相対的に回動し開閉可能な表表紙２１及び裏表紙２３と、閉じたときに互いに向き合う前記表表紙２１と前記裏表紙２３との間に紙葉類４を綴じ止める綴じ具と、前記表表紙２１と前記裏表紙２３とのうち一方の下縁に沿って設けられ他方に向かって起立し、前記綴じ具に綴じられた紙葉類４の下縁が表表紙２１及び裏表紙２３の下縁からはみ出すことを抑制するガード２５と、前記表表紙２１と前記裏表紙２３とのうちの前記一方に支持され、閉じた他方の下縁及び外側縁に跨るように当該他方に掛けられた状態で前記ガード２５に係合して表表紙２１と裏表紙２３とが開くことを抑制するバンド２６とを具備するファイル１を構成した。【選択図】図４
2019199019.tif 000002
【特許請求の範囲】
【請求項１】
相対的に回動し開閉可能な表表紙及び裏表紙と、
閉じたときに互いに向き合う前記表表紙と前記裏表紙との間に紙葉類を綴じ止める綴じ具と、
前記表表紙と前記裏表紙とのうち一方の下縁に沿って設けられ他方に向かって起立し、前記綴じ具に綴じられた紙葉類の下縁が表表紙及び裏表紙の下縁からはみ出すことを抑制するガードと、
前記表表紙と前記裏表紙とのうちの前記一方に支持され、閉じた他方の下縁及び外側縁に跨るように当該他方に掛けられた状態で前記ガードに係合して表表紙と裏表紙とが開くことを抑制するバンドと
を具備するファイル。
【請求項２】
前記ガードが、前記表表紙と前記裏表紙とのうちの前記一方の下縁に沿って拡張する下壁と、当該一方の外側縁に沿って拡張しかつ前記下壁に連接する外側壁とを備えている請求項１記載のファイル。
【請求項３】
前記ガードの少なくとも一部が、前記バンドか係合したときに上方に傾く請求項１または２記載のファイル。
【請求項４】
前記ガードは、前記表表紙と前記裏表紙とのうちの前記一方から張り出した片部を折り曲げて成形されている請求項１、２または３記載のファイル。
【請求項５】
前記表表紙と前記裏表紙とのうちの前記一方から前記他方に向かって起立する前記ガードの当該他方側の端縁に、前記バンドを係合させることのできる凹部が形成されている請求項１、２、３または４記載のファイル。
【発明の詳細な説明】
【技術分野】
【０００１】
本発明は、紙葉類を綴じる綴じ具を備えたファイル（または、バインダー）に関する。
【背景技術】
【０００２】
紙の書類やノートの中紙となるルーズリーフ、樹脂製のクリヤーブックのリフィル（いわゆるクリヤーポケットやクリヤーホルダー）等の紙葉類を綴じておくことのできるファイルが周知である（例えば、下記特許文献を参照）。この種のファイルは一般に、表表紙、背表紙及び裏表紙からなる表紙体に、紙葉類を綴じ止めるための綴じ具を取り付けて構成される。
【０００３】
ファイルを保管する際には、これを立てた姿勢で、即ち表紙体の表表紙、背表紙及び裏表紙を直立させた姿勢で、書棚等に収納することが普通である。このとき、綴じている紙葉類が自重で垂れ下がり、紙葉類の下縁が表紙の下縁よりも下方にはみ出すことがある。さすれば、ファイルの保管中や出し入れまたは持ち運び時に紙葉類の下縁が棚板その他の物に接触し、紙葉類が折れ曲がったり擦れて傷んだりする可能性が生じる。
【０００４】
表紙の寸法を綴じる紙葉類の寸法よりもずっと大きくとれば、紙葉類が自重で垂れ下がったとしても表紙からはみ出すことは避けられる。しかしながら、それはファイルの外寸を肥大化させることに等しく、保管の際に大きな収納スペースを占有することとなる。
【０００５】
また、表表紙と裏表紙とは、基本的に自由に相対回動することができる。従って、ファイルの出し入れまたは持ち運び時にこれらが不意に開いてしまうことがあり、綴じた紙葉類の垂れ下がりとも相まって、ファイルの取り回しの妨げとなる懸念がある。
【先行技術文献】
【特許文献】
【０００６】
【特許文献１】特開２０１４−２２３７８２号公報
【発明の概要】
【発明が解決しようとする課題】
【０００７】
本発明は、ファイルに綴じている紙葉類が表紙からはみ出すこと、及び表紙が意図せず開くことを適切に抑制しようとするものである。
【課題を解決するための手段】
【０００８】
本発明では、相対的に回動し開閉可能な表表紙及び裏表紙と、閉じたときに互いに向き合う前記表表紙と前記裏表紙との間に紙葉類を綴じ止める綴じ具と、前記表表紙と前記裏表紙とのうち一方の下縁に沿って設けられ他方に向かって起立し、前記綴じ具に綴じられた紙葉類の下縁が表表紙及び裏表紙の下縁からはみ出すことを抑制するガードと、前記表表紙と前記裏表紙とのうちの前記一方に支持され、閉じた他方の下縁及び外側縁に跨るように当該他方に掛けられた状態で前記ガードに係合して表表紙と裏表紙とが開くことを抑制するバンドとを具備するファイルを構成した。
【０００９】
前記ガードが、前記表表紙と前記裏表紙とのうちの前記一方の下縁に沿って拡張する下壁と、当該一方の外側縁に沿って拡張しかつ前記下壁に連接する外側壁とを備えていれば、ガードに必要十分な強度、剛性を付与できる。
【００１０】
前記ガードの少なくとも一部が、前記バンドか係合したときに上方に傾くならば、綴じた紙葉類が垂れ下がること、及び閉じた表紙が意図せず開くことをより一層効果的に抑止できる。
【００１１】
前記ガードは、例えば、前記表表紙と前記裏表紙とのうちの前記一方から張り出した片部を折り曲げて成形する。
【００１２】
また、前記表表紙と前記裏表紙とのうちの前記一方から前記他方に向かって起立する前記ガードの当該他方側の端縁に、前記バンドを係合させることのできる凹部を形成しておくことが好ましい。
【発明の効果】
【００１３】
本発明によれば、ファイルに綴じている紙葉類が自重で垂れ下がり表紙からはみ出すこと、及び表紙が意図せず開くことを適切に抑制できる。
【図面の簡単な説明】
【００１４】
【図１】本発明の一実施形態のファイルの表紙を開いた状態の斜視図。
【図２】同実施形態のファイルの表紙を開いた状態の平面図。
【図３】同実施形態のファイルの表紙を開いた状態をその表面側から見た斜視図。
【図４】同実施形態のファイルの表紙を閉じて立てた状態の斜視図。
【図５】同実施形態のファイルの表紙を閉じて立てた状態の正面図。
【図６】同実施形態のファイルの表紙を閉じて立てた状態の側面図。
【図７】同実施形態のファイルの表紙を閉じて立てた状態の底面図。
【図８】同実施形態のファイルの表紙を閉じて立てた状態の斜視図。
【図９】同実施形態のファイルの裏表紙の隅角部を拡大して示す斜視図。
【図１０】同実施形態のファイルの裏表紙の隅角部の展開図。
【図１１】同実施形態の二個のファイルを積み重ねた状態の斜視図。
【発明を実施するための形態】
【００１５】
本発明の一実施形態を、図面を参照して説明する。図１ないし図１１に示す本実施形態のファイル１は、既知のファイルと同様、表表紙２１、背表紙２２及び裏表紙２３を並べ連ねた表紙体２に、紙葉類４を綴じ止めるための綴じ具３を取り付けて構成される。
【００１６】
表紙体２は、ポリプロピレン等の硬質樹脂を素材とする薄板体である。表表紙２１と背表紙２２との間、及び背表紙２２と裏表紙２３との間には、それぞれヒンジ２４が介在する。ヒンジ２４は、例えば、表紙高さ方向に延伸する、当該部位を表紙体２の他の部位と比較して薄肉化するような凹溝である。表表紙２１は、ヒンジ２４を中心として、背表紙２２及び裏表紙２３に対して表紙高さ方向に伸びる軸回りに回動することができる。また、裏表紙２３は、ヒンジ２４を中心として、背表紙２２及び表表紙２１に対して表紙高さ方向に伸びる軸回りに回動することができる。ひいては、表表紙２１と裏表紙２３とが互いに相対的に回動し、表紙体２を開閉することが可能となっている。
【００１７】
綴じ具３は、複数本の綴じ桿３１を備え、その綴じ桿３１を予め紙葉類４に穿たれた紙葉類４を貫通する綴じ孔４１に挿通することで、複数枚の紙葉類４を係留するもの、特に環状をなす綴じ桿３１が開閉動作するリング綴じ具である。綴じ具３は、表紙体２の例えば背表紙２２の裏面、換言すれば綴じられる紙葉類４に面する内面に固定する。
【００１８】
なお、綴じ具３の具体的構造は一意に限定されず、複数枚の紙葉類４を綴じることのできるものでさえあれば、既知の種々の態様のものを採用することが許される。綴じ具３の態様によっては、これが裏表紙２３の内側方即ち背表紙２２に近い側の端部に配置されることもあり得る。
【００１９】
しかして、本実施形態のファイル１では、裏表紙２３の下方かつ外側方即ち背表紙２２及び綴じ具３から遠い側の隅角部に、ガード２５及びバンド２６を設けている。
【００２０】
ガード２５は、紙葉類４を綴じたファイル１を立てた姿勢、即ち表紙体２の表表紙２１、背表紙２２及び裏表紙２３が直立する姿勢としたときに、自重で垂れ下がる紙葉類４の下縁が表紙２１、２３の下縁からはみ出したり、紙葉類４の外側縁が表紙２１、２３の外側縁からはみ出したりすることを抑える働きをする。ガード２５は、裏表紙２３の下縁に沿って表紙幅方向に拡張する下壁２５１と、裏表紙２３の外側縁に沿って表紙高さ方向に拡張する外側壁２５２とを有しており、これら下壁２５１及び外側壁２５２が裏表紙２３に対して垂直または略垂直に、表表紙２１に向かって起立している。ガード２５の下壁２５１と外側壁２５２とは、裏表紙２３の下方かつ外側方の角において相互に交わるように連接する。
【００２１】
ガード２５は、表紙体２そして裏表紙２３に一体に成形してある。具体的には、図１０に示すように、裏表紙２３の下縁よりも下方に張り出す片部２５１と、裏表紙２３の外側縁よりも外側方に張り出す片部２５２とを、それぞれ裏表紙２３に連続させて切り抜く。その上で、下壁２５１となる前者の片部を裏表紙２３に対し上方に屈曲させるとともに、外側壁２５２となる後者の片部を裏表紙２３に対し背表紙２２側に向かう内側方に屈曲させることで、裏表紙２３から起立したガード２５を形作る。
【００２２】
図１０に示しているように、下壁２５１となる片部の外側端部２５４は、裏表紙２３の外側縁よりも外側方に延出している。この外側端部２５４は、下壁２５１を外側壁２５２に接続するための接合代となる。即ち、両片部２５１、２５２を屈曲させ、下壁２５１となる片部の外側端部２５４を外側壁２５２となる片部の内面または外面に重ね合わせ、当該外側端部２５４を片部２５２に接着または溶着等して接合し、以て下壁２５１と外側壁２５２とを連接する。なお、外側壁２５２となる片部の下端部を裏表紙２３の下縁よりも下方に延出させて、その下端部を下壁２５１となる片部に接着または溶着等する接合代としてもよい。相互に連接した下壁２５１及び外側壁２５２は、裏表紙２３の裏面、換言すれば綴じられる紙葉類４に面する内面が向く法線方向から見て、略Ｌ字形をなす一体のガード２５となる。
【００２３】
図７及び図８に示すように、裏表紙２３から表表紙２１に向かって起立するガード２５（の下壁２５１及び外側壁２５２）の同起立方向に沿った寸法Ｄは、背表紙２２の背幅Ｔよりも小さく、背幅Ｔの半分強である。
【００２４】
裏表紙２３から起立するガード２５の下壁２５１及び外側壁２５２における、表表紙２１に向かう側の端縁には、その一部を切り欠くことで凹部２５３を形成している。凹部２５３は、バンド２６を掛け止める係合部として機能する。
【００２５】
バンド２６は、表表紙２１と裏表紙２３とを向き合わせるように閉じた表紙体２をその閉じた状態に維持するために使用される、例えばゴム紐のような伸縮性を有した長尺な紐状体または帯状体である。
【００２６】
バンド２６の一方の端部は、裏表紙２３の下縁付近に、より詳しくはガード２５の下壁２５１の内側端よりも多少内側方に偏倚した箇所に取り付ける。並びに、バンド２６の他方の端部は、裏表紙２３の外側縁付近に、より詳しくはガード２５の外側壁２５２の上端よりも多少上方に偏倚した箇所に取り付ける。本実施形態では、図９に示すように、裏表紙２３における上記の二箇所に、裏表紙２３を貫通する取付孔２３１を穿つ。それとともに、バンド２６の両端にそれぞれ、バンド２６の伸長方向に対して交差または直交する方向に拡張する金属または硬質樹脂製の抜止具２６１を固着しておく。抜止具２６１自体は剛性が高く変形困難なものであるが、バンド２６は撓み変形容易であることから、バンド２６の変形を通じて抜止具２６１とバンド２６の端部とが交差する角度を変化させ、棒状の抜止具２６１とバンド２６の端部とを略一直線状にすることができる。その上で、それら抜止具２６１及びバンド２６の端部を、裏表紙２３の表面側、即ち紙葉類４に面する裏面（内面）とは反対の面である外面側から取付孔２３１に挿通することで、バンド２６を裏表紙２３に取り付ける。抜止具２６１は、裏表紙２３の裏面における取付孔２３１の周囲の部位に当接し、バンド２６が裏表紙２３から脱離することを阻む抜け止めとなる。そして、これにより、バンド２６の両端が裏表紙２３に支持されることとなる。
【００２７】
ファイル１の表紙体２を開閉する際等、バンド２６を使用しないときには、図３に示すように、バンド２６が裏表紙２３の表面側に露出し、裏表紙２３の下縁付近と外側縁付近との間で斜めに伸びた状態となる。但し、このときのバンド２６は張力を受けておらず、引っ張り変形していない。そのバンド２６の全長は、当該バンド２６の両端が取り付けられる箇所にある二つの取付孔２３１の直線距離よりも少し長く、バンド２６は弛んでいる。
【００２８】
翻って、表紙体２を閉じた状態に維持するべくバンド２６を使用するときには、裏表紙２３の表面側に露出しているバンド２６の中間部を引っ張り、表表紙２１の表面（外面）側、即ち綴じられる紙葉類４に面しかつ裏表紙２３の裏面と向き合う裏面（内面）とは反対の側に回り込ませ、このバンド２６の中間部で表表紙２１の表面をその上から押さえ込むようにしながら、バンド２６をガード２５の下壁２５１及び外側壁２５２に引っ掛けて係合させる。結果、図４ないし図７または図８に示すように、バンド２６が表表紙２１の表面側において表表紙２１の下縁と外側縁との間で斜めに伸長した状態となり、このバンド２６により表表紙２１が裏表紙２３から離反するように表紙体２が開くことが抑制される。
【００２９】
裏表紙２３の表面に顕在する一方の取付孔２３１から、表表紙２１の表面側に回り込み、その後再び裏表紙２３の表面側に帰還して、同裏表紙２３の表面に顕在する他方の取付孔２３１へと至る道程は、バンド２６の全長よりも長い。従って、ガード２５に係合せしめたバンド２６は、張力が作用して弾性変形し元の長さよりも引っ張られて伸び、表表紙２１及び裏表紙２３を開かないように結束するものとなる。また、このとき、表表紙２１の下方かつ外側方の隅角部における下縁がガード２５の下壁２５１の内面即ち上向面に当接または極近接し、同表表紙２１の隅角部における外側縁がガード２５の外側壁２５２の内面即ち内側面に当接または極近接する。
【００３０】
バンド２６を使用して表紙体２を閉じた状態に維持する際には、図８に示すように、バンド２６をガード２５の下壁２５１の内側端及び外側壁２５２の上端に掛けてもよいし、図４ないし図７に示すように、バンド２６をガード２５の下壁２５１の端縁及び外側壁２５２の端縁に形成した凹部２５３に掛けてもよい。綴じ具３に綴じている紙葉類４の嵩または枚数が少ないときには前者のように、紙葉類４の嵩または枚数が多いときには後者のように使用することが考えられる。裏表紙２３の下縁に沿って拡張するガード２５の下壁２５１の左右幅は、裏表紙２３の隅角部の領域、即ち裏表紙２３の下方かつ外側方の角から一定の範囲に限定され、表表紙２１及び裏表紙２３の表紙幅よりも短小である。裏表紙２３の外側縁に沿って拡張するガード２５の外側壁２５２の上下幅もやはり、裏表紙２３の隅角部の領域、即ち裏表紙２３の下方かつ外側方の角から一定の範囲に限定されており、表表紙２１及び裏表紙２３の表紙高さよりも短小である。このことは、前者の場合において、ファイル１の表紙体２を閉じた後表表紙２１及びガード２５にバンド２６を掛ける、逆に表紙体２を開くために表表紙２１及びガード２５に掛けていたバンド２６を外す操作を簡便ならしめる。
【００３１】
また、後者の場合、バンド２６が、ガード２５の下壁２５１の外面即ち下向面から、下壁２５１及び外側壁２５２の端縁上の各凹部２５３を経由して、ガード２５の外側壁２５２の外面即ち外側面へと至るように架け渡される。このバンド２６は弾性力を発揮して、下壁２５１及び外側壁２５２を互いに相寄る方向に押圧する。故に、図５に示しているように、ガード２５の下壁２５１（特に、凹部２５３の周辺部位）が上方Ｕに傾くような変形が起こり、さらにガード２５の外側壁２５２（特に、凹部２５３の周辺部位）が内側方Ｉに傾くような変形が起こる。これにより、ガード２５の下壁２５１及び外側壁２５２の内面が表表紙２１の隅角部の下縁及び外側縁にそれぞれ接触してこれを押さえるようになり、表表紙２１が裏表紙２３から離反するように表紙体２が開くことが確実に抑止され、表表紙２１と裏表紙２３との間に綴じられた紙葉類４の垂れ下がりによるはみ出しも抑制される。
【００３２】
本実施形態のファイル１の流通過程等にあって、複数個のファイル１を梱包し運搬する際には、図１１に示すように、ガード２５を利用して二個のファイル１を組み合わせて纏めることができる。即ち、各ファイル１の表紙体２を閉じ、かつバンド２６をガード２５に掛けずに裏表紙２３の表面側に配した状態で、一方のファイル１の表表紙２１と他方のファイル１の表表紙２１とを重ね合わせる。このとき、一方のファイル１の表表紙２１の下方かつ内側方の隅角部、並びに背表紙２２の下縁部が、他方のファイル１のガード２５の下壁２５１及び外側壁２５２の内面に当接または極近接する。同時に、他方のファイル１の表表紙２１の下方かつ内側方の隅角部、並びに背表紙２２の下縁部が、一方のファイル１のガード２５の下壁２５１及び外側壁２５２の内面に当接または極近接する。そして、一方のファイル１に対して他方のファイル１が位置決めされる。
【００３３】
本実施形態では、相対的に回動し開閉可能な表表紙２１及び裏表紙２３と、閉じたときに互いに向き合う前記表表紙２１と前記裏表紙２３との間に紙葉類４を綴じ止める綴じ具３と、前記表表紙２１と前記裏表紙２３とのうち一方である裏表紙２３の下縁に沿って設けられ他方である表表紙２１に向かって起立し、前記綴じ具３に綴じられた紙葉類４の下縁が表表紙２１及び裏表紙２３の下縁からはみ出すことを抑制するガード２５と、前記裏表紙２３に支持され、閉じた表表紙２１の下縁及び外側縁に跨るように当該表表紙２１に掛けられた状態で前記ガード２５に係合して表表紙２１と裏表紙２３とが開くことを抑制するバンド２６とを具備するファイル１を構成した。
【００３４】
本実施形態によれば、ファイル１の表紙２１、２３の寸法を徒に拡大せずとも、綴じている紙葉類４が自重で垂れ下がり表紙２１、２３からはみ出すことを適切に抑制し、また表紙２１、２３が不意に開くことを適切に抑制することができる。
【００３５】
前記ガード２５が、前記裏表紙２３の下縁に沿って拡張する下壁２５１と、当該裏表紙２３の外側縁に沿って拡張しかつ前記下壁２５１に連接する外側壁２５２とを備えており、略Ｌ字形をなしているため、ガード２５に必要十分な強度、剛性を付与できる。
【００３６】
前記ガード２５の少なくとも一部が、前記バンド２６か係合したときに上方Ｕに傾くことから、綴じた紙葉類４が垂れ下がること、及び閉じた表紙２１、２３が意図せず開くことをより一層効果的に抑止できる。
【００３７】
前記ガード２５を、前記裏表紙２３から張り出した片部２５１、２５２を折り曲げることで裏表紙２３に一体的に成形しており、構造が簡易となる。
【００３８】
加えて、前記裏表紙２３から前記表表紙２１に向かって起立する前記ガード２５の当該表表紙２１側の端縁に、前記バンド２６を係合させることのできる凹部２５３を形成している。バンド２６を使用するときに、バンド２６をこの凹部２５３に掛けることで、バンド２６が不意に外れてしまうことを効果的に防止できる。その上、図６及び図７に示すように、バンド２６が凹部２５３の内に収まり、バンド２６がガード２５の端縁から大きく突出しないため、複数個のファイル１を立てて並べる際において、あるファイル１のバンド２６が他のファイル１の表紙体２（の裏表紙２３）の表面と干渉することが回避され、バンド２６がファイル１の出し入れの邪魔にならずに済む。
【００３９】
なお、本発明は以上に詳述した実施形態に限られるものではない。例えば、上記実施形態では、ガード２５が下壁２５１と外側壁２５２とを両備していたが、外側壁２５２を除き下壁２５１のみを有したガード２５を設けることとしてもよい。
【００４０】
また、ガード２５及びバンド２６を裏表紙２３に設ける代わりに表表紙２１に設けてもよいことは言うまでもない。その場合、ガード２５は、表表紙２１から裏表紙２３に向かって起立する。そして、バンド２６は、表表紙２１に支持され、閉じた裏表紙２３の下縁及び外側縁に跨るように裏表紙２３に掛けられた状態でガード２５に係合して、表表紙２１と裏表紙２３とが開くことを抑制する。
【００４１】
その他、各部の具体的構成は、本発明の趣旨を逸脱しない範囲で種々変形が可能である。
【産業上の利用可能性】
【００４２】
本発明は、紙葉類を綴じるためのファイルに適用することができる。
【符号の説明】
【００４３】
１…ファイル
２１…表表紙
２３…裏表紙
２５…ガード
２５１…下壁（片部）
２５２…外側壁（片部）
２５３…凹部
２６…バンド
３…綴じ具
４…紙葉類
【図１】
2019199019.tif 000003
【図２】
2019199019.tif 000004
【図３】
2019199019.tif 000005
【図４】
2019199019.tif 000006
【図５】
2019199019.tif 000007
【図６】
2019199019.tif 000008
【図７】
2019199019.tif 000009
【図８】
2019199019.tif 000010
【図９】
2019199019.tif 000011
【図１０】
2019199019.tif 000012
【図１１】
2019199019.tif 000013